(57)【要約】【課題】フィルタのパラメータ制御をより容易に行うことができるようにする。【解決手段】本技術の信号処理装置は、フィルタと相関性の高いパラメータを有する電圧制御発信部と、前記電圧制御発信部の発振周波数を測定する測定部と、前記測定部による前記発振周波数の測定結果を用いて、前記フィルタの前記パラメータを制御する制御部とを備える。本開示は例えば、信号を受信する通信装置等の信号処理装置に適用することができる。【選択図】図１
2013211814.tif 000002
【特許請求の範囲】
【請求項１】
フィルタと相関性の高いパラメータを有する電圧制御発信部と、
前記電圧制御発信部の発振周波数を測定する測定部と、
前記測定部による前記発振周波数の測定結果を用いて、前記フィルタの前記パラメータを制御する制御部と
を備える信号処理装置。
【請求項２】
前記パラメータは、容量である
請求項１に記載の信号処理装置。
【請求項３】
前記電圧制御発振部は、インダクタンスとキャパシタンスを有するLC電圧制御発信器である
請求項２に記載の信号処理装置。
【請求項４】
前記測定部は、チャネル選局動作として、前記発振周波数の測定を行い、
前記制御部は、前記測定部による前記チャネル選局動作の結果を用いて前記フィルタの前記パラメータを制御する
請求項１に記載の信号処理装置。
【請求項５】
前記制御部は、前記測定部による周波数測定結果と、標準サンプルの周波数測定結果とを用いてばらつき係数を算出し、前記ばらつき係数を用いて、前記フィルタの前記パラメータを制御する
請求項１に記載の信号処理装置。
【請求項６】
前記制御部は、複数のフィルタの前記パラメータを、それぞれ制御する
請求項１に記載の信号処理装置。
【請求項７】
信号処理装置の信号処理方法において、
前記信号処理装置が、
フィルタと相関性の高いパラメータを有する電圧制御発信部の発振周波数を測定し、
前記発振周波数の測定結果を用いて、前記フィルタの前記パラメータを制御する
信号処理方法。
【請求項８】
信号を受信する受信部と、
前記受信部により受信された信号から所定の周波数成分を抽出するフィルタと、
前記フィルタと相関性の高いパラメータを有する電圧制御発信部と、
前記電圧制御発信部の発振周波数を測定する測定部と、
前記測定部による前記発振周波数の測定結果を用いて、前記フィルタの前記パラメータを制御する制御部と
を備える通信装置。
【発明の詳細な説明】
【技術分野】
【０００１】
本技術は、信号処理装置および方法、並びに、通信装置に関し、特に、フィルタのパラメータ制御をより容易に行うことができるようにした信号処理装置および方法、並びに、通信装置に関する。
【背景技術】
【０００２】
従来、受信周波数に帯域制限をかけて希望する周波数のみ選択する受信機において高周波増幅器の前段または後段にフィルタが利用されている。しかしながら、このようなフィルタにおいては、LSI（Large Scale Integration）内に内蔵された容量のプロセスバラつきによって希望する受信周波数とフィルタ同調周波数（カットオフ周波数）がズレる恐れがあった。
【０００３】
このような同調周波数（カットオフ周波数）のズレは、対妨害特性やノイズ（Noise）性能を劣化させる恐れがある。そのため、受信機として、フィルタの容量バラつきを補正する必要があった。
【０００４】
このようなフィルタ容量の補正方法として、例えば、テストトーンを入力して低い周波数側と高い周波数側それぞれの-3dBになるキャパシタバンク（Capacitor Bank）のコードを調べ、その中間コードを選択することによって容量バラつきを補正する方法が考えられた（例えば、特許文献参照）。
【０００５】
また、例えば、Nagative-Gm-CellとLC同調回路を接続し、PLLシンセサイザがロック（Lock）した受信周波数とLC同調回路の発振周波数が同じになるようにキャパシタバンク（Capacitor Bank）を調整することで容量バラつきを補正する方法も考えられた（例えば、非特許文献参照）。
【先行技術文献】
【特許文献】
【０００６】
【特許文献１】ＵＳ２０１０／０１３０１５８Ａ１
【非特許文献】
【０００７】
【非特許文献１】Sanghoon Kang, Huijung Kim, Jeong-Hyun Choi, Jae-Hong Chang, Jong-Dae Bae, Wooseung Choo and Byeong-ha Park, Samsung Electronics, Korea, " A Triband 65nm CMOS Tuner for ATSC Mobile DTV SoC ", 2010 IEEE Radio Frequency Integrated Circuits Symposium
【発明の概要】
【発明が解決しようとする課題】
【０００８】
しかしながら、これらの方法の場合、容量バラつきを補正するために追加の回路が必要であった。つまり、本来必要の無い構成により不要に回路規模や製造コストを増大させてしまう恐れがあった。
【０００９】
また、補正の為の調整時間が必要であった。つまり、本来必要の無い時間がチャネル選局時間に加算されることになり、チャネル選局時間が不要に増大してしまう恐れがあった。
【００１０】
例えば、特許文献に記載の方法の場合、テストトーン発生器を追加する必要があった。また、チャネル選局時時間に、調整時間を加算する必要があった。
【００１１】
例えば、非特許文献に記載の方法の場合、Nagative-Gm-Cell回路を追加する必要があった。また、チャネル選局時時間に、調整時間を加算する必要があった。
【００１２】
本技術は、このような状況に鑑みて提案されたものであり、フィルタのパラメータ制御をより容易に行うことを目的とする。
【課題を解決するための手段】
【００１３】
本技術の一側面は、フィルタと相関性の高いパラメータを有する電圧制御発信部と、前記電圧制御発信部の発振周波数を測定する測定部と、前記測定部による前記発振周波数の測定結果を用いて、前記フィルタの前記パラメータを制御する制御部とを備える信号処理装置である。
【００１４】
前記パラメータは、容量であるようにすることができる。
【００１５】
前記電圧制御発振部は、インダクタンスとキャパシタンスを有するLC電圧制御発信器であるようにすることができる。
【００１６】
前記測定部は、チャネル選局動作として、前記発振周波数の測定を行い、前記制御部は、前記測定部による前記チャネル選局動作の結果を用いて前記フィルタの前記パラメータを制御することができる。
【００１７】
前記制御部は、前記測定部による周波数測定結果と、標準サンプルの周波数測定結果とを用いてばらつき係数を算出し、前記ばらつき係数を用いて、前記フィルタの前記パラメータを制御することができる。
【００１８】
前記制御部は、複数のフィルタの前記パラメータを、それぞれ制御することができる。
【００１９】
本技術の一側面は、また、信号処理装置の信号処理方法において、前記信号処理装置が、フィルタと相関性の高いパラメータを有する電圧制御発信部の発振周波数を測定し、前記発振周波数の測定結果を用いて、前記フィルタの前記パラメータを制御する信号処理方法である。
【００２０】
本技術の他の側面は、信号を受信する受信部と、前記受信部により受信された信号から所定の周波数成分を抽出するフィルタと、前記フィルタと相関性の高いパラメータを有する電圧制御発信部と、前記電圧制御発信部の発振周波数を測定する測定部と、前記測定部による前記発振周波数の測定結果を用いて、前記フィルタの前記パラメータを制御する制御部とを備える通信装置である。
【００２１】
本技術の一側面においては、フィルタと相関性の高いパラメータを有する電圧制御発信部の発振周波数が測定され、発振周波数の測定結果を用いて、フィルタのパラメータが制御される。
【００２２】
本技術の他の側面においては、信号が受信され、受信された信号から所定の周波数成分が抽出され、フィルタと相関性の高いパラメータを有する電圧制御発振部の発振周波数が測定され、発振周波数の測定結果を用いて、フィルタのパラメータが制御される。
【発明の効果】
【００２３】
本技術によれば、信号を処理することが出来る。特に、フィルタのパラメータ制御をより容易に行うことができる。
【図面の簡単な説明】
【００２４】
【図１】信号処理装置の主な構成例を示すブロック図である。
【図２】キャパシタバンクの構成例を示す図である。
【図３】LC電圧制御発信器の主な構成例を示す図である。
【図４】VCOの、バンド毎の、周波数・制御電圧特性の例を示す図である。
【図５】PLLの主な構成例を示す図である。
【図６】受信周波数探索処理の流れの例を説明するフローチャートである。
【図７】表示装置の主な構成例を示すブロック図である。
【図８】コンピュータの主な構成例を示すブロック図である。
【発明を実施するための形態】
【００２５】
以下、本開示を実施するための形態（以下実施の形態とする）について説明する。なお、説明は以下の順序で行う。
１．第１の実施の形態（信号処理装置）
２．第２の実施の形態（表示装置）
３．第３の実施の形態（コンピュータ）
【００２６】
＜１．第１の実施の形態＞
［１−１信号処理装置］
図１は、信号処理装置の主な構成例を示すブロック図である。図１に示される信号処理装置１００は、入力された信号から所望の周波数成分を抽出する装置である。この信号処理装置１００は、例えば、無線信号の受信機等に用いられ、受信信号から所望のチャンネル（帯域）の成分を抽出し、出力する。
【００２７】
信号処理装置１００は、入力端子（Input）１１１、フィルタ１１２、増幅部１１３、フィルタ１１４、ミキサ１１５、出力端子（Output）１１６、VCO（Voltage Controlled Oscillator）１１７、カウンタ１１８、および制御部１１９を有する。
【００２８】
入力端子１１１から入力された信号は、フィルタ１１２に供給される。フィルタ１１２は、供給された信号の、所定の同調周波数（カットオフ周波数以外の周波数）の成分を抽出し、増幅部１１３に供給する。
【００２９】
増幅部１１３は、供給された信号を増幅する高周波増幅部である。増幅部１１３は、増幅した信号をフィルタ１１４に供給する。
【００３０】
フィルタ１１４は、供給された信号の、所定の同調周波数（カットオフ周波数以外の周波数）の成分を抽出し、ミキサ１１５に供給する。
【００３１】
フィルタ１１２およびフィルタ１１４は、それぞれ、図２に示されるようなキャパシタバンク１３１を有する。図２に示されるように、このキャパシタバンク１３１は、複数のキャパシタ、スイッチ、およびインダクタを有しており、スイッチをオンまたはオフすることにより、容量を制御することができる。すなわち、フィルタ１１２およびフィルタ１１４は、可変のキャパシタを有する。つまり、フィルタ１１２およびフィルタ１１４は、それぞれ、パラメータとしてインダクタＬとキャパシタＣを有する。
【００３２】
ミキサ１１５は、供給された信号と、VCO１１７の出力信号を乗算する。つまり、ミキサ１１５は、フィルタ１１４から供給された信号から、VCO１１７の出力信号の周波数（発振周波数）成分を抽出する。ミキサ１１５は、その乗算結果（抽出された成分）を出力端子１１６に供給し、外部に出力させる。
【００３３】
VCO１１７は、発振周波数を電圧により制御することができる電圧制御発信器である。VCO１１７は、電圧により制御された周波数帯域の出力信号をミキサ１１５およびカウンタ１１８に供給する。VCO１１７は、フィルタ１１２やフィルタ１１４のパラメータと相関性の高いパラメータを有する。例えば、VCO１１７は、フィルタ１１２やフィルタ１１４と同じインダクタＬやキャパシタＣをパラメータとして有する。
【００３４】
カウンタ１１８は、VCO１１７の出力信号の周波数を測定する。
【００３５】
制御部１１９は、カウンタ１１８による測定結果に基づいて、フィルタ１１２およびフィルタ１１４のパラメータを制御する。例えば、制御部１１９は、カウンタ１１８から供給される周波数測定結果に基づいてキャパシタバンク１３１の容量、すなわち、各フィルタの容量を制御する。
【００３６】
ここで、信号処理装置１００の選局動作について説明する。高い受信性能を要求される受信機では低い位相雑音を達成する必要がある。そのため、図３に示されるような、インダクタ（Inductor）１５１−１およびインダクタ１５１−２、キャパシタバンク（Capacitor Bank）１５２−１およびキャパシタバンク１５２−２、バラクタ（Varactor）１５３、およびNagative Gm CellからなるLC電圧制御発信器（LCVCO）がPLL（Phase Locked Loop）に利用されている。
【００３７】
なお、以下において、インダクタ１５１−１およびインダクタ１５１−２を互いに区別する必要が無い場合、単にインダクタ１５１と称する。また、キャパシタバンク１５２−１およびキャパシタバンク１５２−２を互いに区別して説明する必要が無い場合、単にキャパシタバンク１５２と称する。
【００３８】
キャパシタバンク１５２は、図２を参照して説明したフィルタ１１２やフィルタ１１４のキャパシタバンク１３１と同様のキャパシタバンクである。
【００３９】
チャネル選局時はPLLを開ループ（Open-Loop）で動作させてキャパシタバンク１５２の容量値（Capacitor Bank Code）を、図４に示されるように切り替えながら、カウンタ１１８にVCO（電圧制御発信器）１１７の周波数を測定させる。
【００４０】
入力端子１１１から入力される信号の周波数（受信周波数）とVCO１１７の発振周波数が所定のレベルまで近くなったら、図５に示されるように、PLLを閉ループ（Closed-Loop）で動作させて受信周波数にロック（Lock）させる。
【００４１】
図５において、PLLは、位相比較部（PFD（Phase Frequency Detector）１７１、CP（Charge pump）/LPF（Low-Pass Filter）１７２、VCO１７３、および分周期１７４を有する。
【００４２】
このような動作が一般的な選局動作になる。
【００４３】
制御部１１９は、さらに、この一連の選局動作の結果を使って容量調整を行う。例えば、チャネル選局の際には、まずPLLを開ループ（Open-Loop）で動作させてキャパシタバンク（Capacitor Bank）の容量値を切り替えながらカウンタ１１８で周波数測定を行う。この結果を容量調整計算に再利用する。
【００４４】
この結果を明示的にFREQ_CNT_READとするとし、予め評価しておいた標準サンプルの周波数測定結果をFREQ_CNT_TYPとする。FREQ_CNT_READおよびFREQ_CNT_TYPは以下の式（１）および式（２）ように表すことができる。
【００４５】
【数１】
2013211814.tif 000003
【００４６】
以上の式（１）および式（２）からインダクタンスＬを消去すると、バラつき容量値Cbank_pは、以下の式（３）のように表される。
【００４７】
【数２】
2013211814.tif 000004
【００４８】
したがって、この式（３）を変形させることにより、バラつき係数を以下の式（４）のように表すことができる。
【００４９】
【数３】
2013211814.tif 000005
【００５０】
したがって、制御部１１９は、FREQ_CNT_TYPとCAP_RATIOの既知の値を予めメモリに格納しておけば、ばらつき係数を計算して求めることが可能となり、Capacitor Bankのコードを調整することができる。
【００５１】
なお、バラクタ１５３の容量のバラつきは計算誤差要因になるが、CAP_RATIO（Varactor容量と標準サンプル容量の比）を大きくとるようにすれば無視することができる。
【００５２】
また、実際には、インダクタＬもばらつきが生じる。ただし、インダクタンスＬのばらつきは、式（３）の変形において、キャパシタンスＣのばらつきに含めるようにしている。
【００５３】
制御部１１９は、カウンタ１１８の周波数測定結果から、以上のようにばらつき係数を求め、このばらつき係数をフィルタ１１２およびフィルタ１１４の各容量に乗算する。このようにすることにより、フィルタ１１２およびフィルタ１１４の容量を補正することができる。
【００５４】
このような処理を行うために、新たな回路や処理部の追加は不要である。また、このような処理は、最初のチャネル（図４のBand[0]）の周波数測定結果を利用して行うことができる。したがって、容量調整のために新たに時間を設ける必要が無く、チャネル選局時間の増大を抑制することができる。
【００５５】
つまり、制御部１１９は、フィルタと相関性の高いパラメータを有するVCOの発振周波数測定結果を利用することにより、より容易にフィルタのパラメータ調整を行うことができる。
【００５６】
［１−２処理の流れ］
次に、このような信号処理装置１００により実行される受信周波数探索処理の流れの例を、図６のフローチャートを参照して説明する。
【００５７】
受信周波数探索処理が開始されると、制御部１１９は、ステップＳ１０１において、Band[i] = Band[0]に設定する。ステップＳ１０２において、カウンタ１１８は、VCO発振周波数を測定する。ステップＳ１０３において、制御部１１９は、ステップＳ１０２の測定結果に基づいて、フィルタ１１２およびフィルタ１１４の容量を調整する。この処理は、後述するステップＳ１０４以降の処理と並列に実行される。
【００５８】
ステップＳ１０４において、VCO１１７は、ステップＳ１０２の処理により得られた測定結果に基づいて、Band[i]に受信周波数が存在するか否かを判定する。Band[i]に受信周波数が存在しないと判定された場合、処理は、ステップＳ１０５に進む。
【００５９】
ステップＳ１０５において、VCO１１７は、変数ｉを１インクリメントする。また、ステップＳ１０６において、カウンタ１１８は、VCO１１７の発振周波数を測定する。ステップＳ１０６の処理が終了すると、処理はステップＳ１０４に戻る。なお、２回目以降のステップＳ１０４の処理の場合、VCO１１７は、ステップＳ１０６の処理により得られた測定結果に基づいて、Band[i]に受信周波数が存在するか否かを判定する。
【００６０】
また、ステップＳ１０４において、Band[i]に受信周波数が存在すると判定された場合、処理は、ステップＳ１０７に進む。
【００６１】
ステップＳ１０７において、VCO１１７は、PLLを閉ループで動作させる。また、ステップＳ１０８において、VCO１１７は、PLLを受信周波数にロック（lock）させる。
【００６２】
ステップＳ１０８の処理が終了すると、信号処理装置１００は、受信周波数探索処理を終了する。
【００６３】
以上のように処理を行うことにより、信号処理装置１００は、フィルタのパラメータをより容易に制御することができる。
【００６４】
［１−３その他］
なお、以上においては、増幅部１１３の前後に配置される２つのフィルタ（フィルタ１１２およびフィルタ１１４）を制御対象とするように説明したが、制御対象とするフィルタの数および位置は任意である。
【００６５】
また、以上においては、信号処理装置１００が、信号処理として、入力された信号から所望の周波数成分を抽出する処理を行うように説明したが、信号処理装置１００は、任意の信号処理を行うようにしてもよい。
【００６６】
また、制御部１１９が制御するフィルタのパラメータは、任意であり、上述したキャパシタＣに限定されない。VCO１１７が、フィルタのパラメータと相関性の高いパラメータを有していればよい。
【００６７】
＜２．第２の実施の形態＞
［表示装置］
図７は、このような信号処理装置１００を処理部として用いた表示装置の主な構成例を示すブロック図である。図７に示される表示装置５００は、放送波（例えば、テレビジョン信号）を受信する受信装置であり、また、その受信した画像を表示する装置である。表示装置５００は、例えば、アンテナ５０１、チューナ５０２、デマルチプレクサ５０３、デコーダ５０４、映像信号処理部５０５、表示部５０６、音声信号処理部５０７、スピーカ５０８、外部インタフェース５０９、制御部５１０、ユーザインタフェース５１１、及びバス５１２を備える。
【００６８】
チューナ５０２は、アンテナ５０１を介して受信される放送信号から所望のチャネルの信号を抽出し、抽出した信号を復調する。そして、チューナ５０２は、復調により得られた符号化ビットストリームをデマルチプレクサ５０３へ出力する。即ち、チューナ５０２は、画像が符号化されている符号化ストリームを受信する、表示装置５００における伝送部としての役割を有する。
【００６９】
デマルチプレクサ５０３は、符号化ビットストリームから視聴対象の番組の映像ストリーム及び音声ストリームを分離し、分離した各ストリームをデコーダ５０４へ出力する。また、デマルチプレクサ５０３は、符号化ビットストリームからEPG（Electronic Program Guide）などの補助的なデータを抽出し、抽出したデータを制御部５１０に供給する。なお、デマルチプレクサ５０３は、符号化ビットストリームがスクランブルされている場合には、デスクランブルを行ってもよい。
【００７０】
デコーダ５０４は、デマルチプレクサ５０３から入力される映像ストリーム及び音声ストリームを復号する。そして、デコーダ５０４は、復号処理により生成される映像データを映像信号処理部５０５へ出力する。また、デコーダ５０４は、復号処理により生成される音声データを音声信号処理部５０７へ出力する。
【００７１】
映像信号処理部５０５は、デコーダ５０４から入力される映像データを再生し、表示部５０６に映像を表示させる。また、映像信号処理部５０５は、ネットワークを介して供給されるアプリケーション画面を表示部５０６に表示させてもよい。また、映像信号処理部５０５は、映像データについて、設定に応じて、例えばノイズ除去などの追加的な処理を行ってもよい。さらに、映像信号処理部５０５は、例えばメニュー、ボタン又はカーソルなどのGUI（Graphical User Interface）の画像を生成し、生成した画像を出力画像に重畳してもよい。
【００７２】
表示部５０６は、映像信号処理部５０５から供給される駆動信号により駆動され、表示デバイス（例えば、液晶ディスプレイ、プラズマディスプレイ又はOELD（Organic ElectroLuminescence Display）（有機ELディスプレイ）など）の映像面上に映像又は画像を表示する。
【００７３】
音声信号処理部５０７は、デコーダ５０４から入力される音声データについてD/A変換及び増幅などの再生処理を行い、スピーカ５０８から音声を出力させる。また、音声信号処理部５０７は、音声データについてノイズ除去などの追加的な処理を行ってもよい。
【００７４】
外部インタフェース５０９は、表示装置５００と外部機器又はネットワークとを接続するためのインタフェースである。例えば、外部インタフェース５０９を介して受信される映像ストリーム又は音声ストリームが、デコーダ５０４により復号されてもよい。即ち、外部インタフェース５０９もまた、画像が符号化されている符号化ストリームを受信する、表示装置５００における伝送部としての役割を有する。
【００７５】
制御部５１０は、CPUなどのプロセッサ、並びにRAM及びROMなどのメモリを有する。メモリは、CPUにより実行されるプログラム、プログラムデータ、EPGデータ、及びネットワークを介して取得されるデータなどを記憶する。メモリにより記憶されるプログラムは、例えば、表示装置５００の起動時にCPUにより読み込まれ、実行される。CPUは、プログラムを実行することにより、例えばユーザインタフェース５１１から入力される操作信号に応じて、表示装置５００の動作を制御する。
【００７６】
ユーザインタフェース５１１は、制御部５１０と接続される。ユーザインタフェース５１１は、例えば、ユーザが表示装置５００を操作するためのボタン及びスイッチ、並びに遠隔制御信号の受信部などを有する。ユーザインタフェース５１１は、これら構成要素を介してユーザによる操作を検出して操作信号を生成し、生成した操作信号を制御部５１０へ出力する。
【００７７】
バス５１２は、チューナ５０２、デマルチプレクサ５０３、デコーダ５０４、映像信号処理部５０５、音声信号処理部５０７、外部インタフェース５０９及び制御部５１０を相互に接続する。
【００７８】
このように構成された表示装置５００のチューナ５０２に、上述した、信号処理装置１００が用いられる。したがって、表示装置５００は、フィルタのパラメータ制御をより容易に行うことができる。
【００７９】
＜３．第３の実施の形態＞
［コンピュータ］
上述した一連の処理は、ハードウエアにより実行させることもできるし、ソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【００８０】
図８は、上述した一連の処理をプログラムにより実行するコンピュータのハードウエアの構成例を示すブロック図である。
【００８１】
図８に示されるコンピュータ６００において、CPU（Central Processing Unit）６０１、ROM（Read Only Memory）６０２、RAM（Random Access Memory）６０３は、バス６０４を介して相互に接続されている。
【００８２】
バス６０４にはまた、入出力インタフェース６１０も接続されている。入出力インタフェース６１０には、入力部６１１、出力部６１２、記憶部６１３、通信部６１４、およびドライブ６１５が接続されている。
【００８３】
入力部６１１は、例えば、キーボード、マウス、マイクロホン、タッチパネル、入力端子などよりなる。出力部６１２は、例えば、ディスプレイ、スピーカ、出力端子などよりなる。記憶部６１３は、例えば、ハードディスク、RAMディスク、不揮発性のメモリなどよりなる。通信部６１４は、例えば、ネットワークインタフェースよりなる。ドライブ６１５は、磁気ディスク、光ディスク、光磁気ディスク、または半導体メモリなどのリムーバブルメディア６２１を駆動する。
【００８４】
以上のように構成されるコンピュータでは、CPU６０１が、例えば、記憶部６１３に記憶されているプログラムを、入出力インタフェース６１０およびバス６０４を介して、RAM６０３にロードして実行することにより、上述した一連の処理が行われる。RAM６０３にはまた、CPU６０１が各種の処理を実行する上において必要なデータなども適宜記憶される。
【００８５】
コンピュータ（CPU６０１）が実行するプログラムは、例えば、パッケージメディア等としてのリムーバブルメディア６２１に記録して適用することができる。また、プログラムは、ローカルエリアネットワーク、インターネット、デジタル衛星放送といった、有線または無線の伝送媒体を介して提供することができる。
【００８６】
コンピュータでは、プログラムは、リムーバブルメディア６２１をドライブ６１５に装着することにより、入出力インタフェース６１０を介して、記憶部６１３にインストールすることができる。また、プログラムは、有線または無線の伝送媒体を介して、通信部６１４で受信し、記憶部６１３にインストールすることができる。その他、プログラムは、ROM６０２や記憶部６１３に、あらかじめインストールしておくことができる。
【００８７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８８】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００８９】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【００９０】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【００９１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９２】
例えば、本技術は、１つの機能を、ネットワークを介して複数の装置で分担、共同して処理するクラウドコンピューティングの構成をとることができる。
【００９３】
また、上述のフローチャートで説明した各ステップは、１つの装置で実行する他、複数の装置で分担して実行することができる。
【００９４】
さらに、１つのステップに複数の処理が含まれる場合には、その１つのステップに含まれる複数の処理は、１つの装置で実行する他、複数の装置で分担して実行することができる。
【００９５】
なお、本技術は以下のような構成も取ることができる。
（１）  フィルタと相関性の高いパラメータを有する電圧制御発信部と、
前記電圧制御発信部の発振周波数を測定する測定部と、
前記測定部による前記発振周波数の測定結果を用いて、前記フィルタの前記パラメータを制御する制御部と
を備える信号処理装置。
（２）  前記パラメータは、容量である
前記（１）に記載の信号処理装置。
（３）  前記電圧制御発振部は、インダクタンスとキャパシタンスを有するLC電圧制御発信器である
前記（２）に記載の信号処理装置。
（４）  前記測定部は、チャネル選局動作として、前記発振周波数の測定を行い、
前記制御部は、前記測定部による前記チャネル選局動作の結果を用いて前記フィルタの前記パラメータを制御する
前記（１）乃至（３）のいずれかに記載の信号処理装置。
（５）  前記制御部は、前記測定部による周波数測定結果と、標準サンプルの周波数測定結果とを用いてばらつき係数を算出し、前記ばらつき係数を用いて、前記フィルタの前記パラメータを制御する
前記（１）乃至（４）のいずれかに記載の信号処理装置。
（６）  前記制御部は、複数のフィルタの前記パラメータを、それぞれ制御する
前記（１）乃至（５）のいずれかに記載の信号処理装置。
（７）  信号処理装置の信号処理方法において、
前記信号処理装置が、
フィルタと相関性の高いパラメータを有する電圧制御発信部の発振周波数を測定し、
前記発振周波数の測定結果を用いて、前記フィルタの前記パラメータを制御する
信号処理方法。
（８）  信号を受信する受信部と、
前記受信部により受信された信号から所定の周波数成分を抽出するフィルタと、
前記フィルタと相関性の高いパラメータを有する電圧制御発信部と、
前記電圧制御発信部の発振周波数を測定する測定部と、
前記測定部による前記発振周波数の測定結果を用いて、前記フィルタの前記パラメータを制御する制御部と
を備える通信装置。
【符号の説明】
【００９６】
１００  信号処理装置，  １１１  入力端子，  １１２  フィルタ，  １１３  増幅部，  １１４  フィルタ，  １１５  ミキサ，  １１６  出力端子，  １１７  VCO，  １１８  カウンタ，  １１９  制御部，  １３１  キャパシタバンク，  １５１  インダクタ，  １５２  キャパシタバンク，  １５３  バラクタ，  １７１  PFD，  １７２  CP/LPF，  １７３  VCO，  １７４  分周期
【図１】
2013211814.tif 000006
【図２】
2013211814.tif 000007
【図３】
2013211814.tif 000008
【図４】
2013211814.tif 000009
【図５】
2013211814.tif 000010
【図６】
2013211814.tif 000011
【図７】
2013211814.tif 000012
【図８】
2013211814.tif 000013